(57)【要約】【課題】画像光を導光する棒状導光部の破損を有効に防止でき、棒状導光部を容易に細条化できる頭部装着型画像表示装置を提供する。【解決手段】観察者の頭部に装着された状態で、該観察者の一方の眼球の視野内に延在するように、一端部が保持部12に保持され、他端部に接眼光学部14が設けられた棒状導光部13と、画像を表示する表示素子17とを有し、表示素子17に表示された画像の画像光を、棒状導光部13の一端部の端面から他端部の端面を経て接眼光学部14から出射させて、観察者の一方の眼球に入射させるようにした頭部装着型画像表示装置10において、棒状導光部13を、保持部12に弾性的に変位可能に保持する。【選択図】図１
2010087560.tif 000002
【特許請求の範囲】
【請求項１】
観察者の頭部に装着された状態で、該観察者の一方の眼球の視野内に延在するように、一端部が保持部に保持され、他端部に接眼光学部が設けられた棒状導光部と、画像を表示する表示素子とを有し、前記表示素子に表示された画像の画像光を、前記棒状導光部の前記一端部の端面から前記他端部の端面を経て前記接眼光学部から出射させて、前記観察者の前記一方の眼球に入射させるようにした頭部装着型画像表示装置において、
前記棒状導光部を、前記保持部に弾性的に変位可能に保持した、ことを特徴とする頭部装着型画像表示装置。
【請求項２】
前記棒状導光部は、弾性光学部材からなる、ことを特徴とする請求項１に記載の頭部装着型画像表示装置。
【請求項３】
前記棒状導光部は、前記保持部に保持される前記一端部と、該一端部から連続して前記保持部から露出する一部とを含む部分が、弾性光学部材からなり、残りの部分が硬質光学部材からなる、ことを特徴とする請求項１に記載の頭部装着型画像表示装置。
【請求項４】
前記棒状導光部は、前記保持部内の前記画像光の入射端面を含む一部が硬質光学部材からなり、残りの部分が弾性光学部材からなり、
前記接眼光学部は、前記棒状導光部の前記他端部の端面から出射された画像光を反射させる反射面と、該反射面で反射された画像光を前記観察者の前記一方の眼球に入射させるように出射するレンズ部とを有し、前記反射面および前記レンズ部が硬質光学部材からなり、残りの部分が弾性光学部材からなる、ことを特徴とする請求項１に記載の頭部装着型画像表示装置。
【請求項５】
前記棒状導光部は、硬質光学部材と、前記保持部から露出した部分で、前記硬質光学部材により挟むように介在させた弾性光学部材とからなる、ことを特徴とする請求項１に記載の頭部装着型画像表示装置。
【請求項６】
前記棒状導光部および前記接眼光学部は、それぞれ弾性光学部材からなる、ことを特徴とする請求項１に記載の頭部装着型画像表示装置。
【請求項７】
前記観察者の前記一方の眼球から遠い側の前記棒状導光部の外面に、前記保持部に一端部を連結して、長さ方向に延在して細条の硬質部材を設けた、ことを特徴とする請求項２乃至６のいずれか一項に記載の頭部装着型画像表示装置。
【請求項８】
前記保持部は、少なくとも前記棒状導光部の一端部を保持する部分が弾性部材からなる、ことを特徴とする請求項１に記載の頭部装着型画像表示装置。
【請求項９】
前記保持部は、眼鏡レンズを保持する眼鏡フレームに支持し、
前記棒状導光部は、前記眼鏡レンズの外側で、該観察者の一方の眼球の視野内に延在するように、前記保持部に保持した、ことを特徴とする請求項１乃至８のいずれか一項に記載の頭部装着型画像表示装置。
【請求項１０】
眼鏡レンズを保持する眼鏡フレームと、該眼鏡フレームを観察者が装着した状態で、前記眼鏡レンズの外側で、前記観察者の一方の眼球の視野内に延在するように、一端部が保持部を介して前記眼鏡フレームに支持され、他端部に接眼光学部が設けられた棒状導光部と、画像を表示する表示素子とを有し、前記表示素子に表示された画像の画像光を、前記棒状導光部の前記一端部の端面から前記他端部の端面を経て前記接眼光学部から出射させて、該接眼光学部と対向する前記眼鏡レンズを経て前記観察者の前記一方の眼球に入射させるようにした頭部装着型画像表示装置において、
前記接眼光学部が対向する前記眼鏡レンズに対する前記棒状導光部の変位を吸収する弾性部材を設けた、ことを特徴とする頭部装着型画像表示装置。
【請求項１１】
前記弾性部材を、前記棒状導光部と前記眼鏡レンズとの間に介在させた、ことを特徴とする請求項１０に記載の頭部装着型画像表示装置。
【請求項１２】
前記弾性部材を、前記接眼光学部から前記眼鏡レンズの周縁部に延在するように設けた、ことを特徴とする請求項１０に記載の頭部装着型画像表示装置。
【発明の詳細な説明】
【技術分野】
【０００１】
本発明は、頭部装着型画像表示装置に関するものである。
【背景技術】
【０００２】
従来の頭部装着型画像表示装置として、例えば、ヘッドセット型や眼鏡型のように、モバイルで装着可能なものが提案されている（例えば、特許文献１，２参照）。
【０００３】
図９は、従来提案されているヘッドセット型の頭部装着型画像表示装置の概略構成を示す図で、（ａ）は正面図、（ｂ）は側面図、（ｃ）は平面図である。この頭部装着型画像表示装置１００は、左眼タイプのもので、観察者Ｍの左耳に保持されるヘッドセット型の頭部支持部１０１と、頭部支持部１０１に中継部１０２および保持部１０３を介して連結されて、観察者Ｍの左眼視野内に保持される棒状導光部１０４と、を有する。棒状導光部１０４は、保持部１０３側とは反対側の端部に設けられた接眼光学部１０５を有する。また、頭部支持部１０１または中継部１０２、あるいは保持部１０３には、観察すべき画像を表示する液晶表示素子や有機ＥＬ素子等の表示素子（図示せず）が内蔵され、この表示素子に表示された画像の画像光が、棒状導光部１０４を経て接眼光学部１０５から出射されるようになっている。なお、本構成は左右逆に構成することで右眼タイプとしてもよい。
【０００４】
図９に示した頭部装着型画像表示装置１００は、接眼光学部１０５から出射される画像光が観察者Ｍの左眼瞳孔に入射するように、頭部支持部１０１を観察者Ｍの左耳に保持し、その状態で接眼光学部１０５を覗くことにより、図示しない表示素子に表示された画像の拡大虚像を観察できるようになっている。
【０００５】
図１０は、従来提案されている眼鏡型の頭部装着型画像表示装置の概略構成を示す斜視図である。この頭部装着型画像表示装置１１０は、眼鏡一体型の右眼タイプのもので、眼鏡フレーム１１１に支持部１１２および保持部１１３を介して、観察者の右眼視野内で、右眼の眼鏡レンズ１１４の前方に近接して保持される棒状導光部１１５を有する。棒状導光部１１５は、保持部１１３側とは反対側の端部に設けられた接眼光学部１１６を有する。また、眼鏡フレーム１１１または支持部１１２、あるいは保持部１１３には、観察すべき画像を表示する液晶表示素子や有機ＥＬ素子等の表示素子（図示せず）が内蔵され、この表示素子に表示された画像の画像光が、棒状導光部１１５を経て接眼光学部１１６から出射されるようになっている。
【０００６】
図１０に示した頭部装着型画像表示装置１１０は、観察者が眼鏡フレーム１１１を掛けることにより、接眼光学部１１６から出射される画像光が眼鏡レンズ１１４を通して右眼瞳孔に入射するようになっている。したがって、観察者は、眼鏡フレーム１１１を掛けて接眼光学部１１６を覗くことにより、図示しない表示素子に表示された画像の拡大虚像を観察することができる。
【０００７】
なお、眼鏡型の頭部装着型画像表示装置として、通常の眼鏡に着脱可能で、図１０と同様の態様で使用されるものも提案されている。
【０００８】
【特許文献１】特表２００３−５０２７１３号公報
【特許文献２】特開２００６−３８７９号公報
【発明の開示】
【発明が解決しようとする課題】
【０００９】
ところで、上述したヘッドセット型や眼鏡型の頭部装着型画像表示装置は、例えば、観察者の視野内に位置する棒状導光部および接眼光学部を細くするほど、例えば、特許文献２に開示のように、観察者の視軸方向への投影断面の幅を、平均的な瞳孔径サイズを基準として４ｍｍ以下とすれば、殆どの使用環境において、観察視野内においてその存在を目立たなくすることができるので、外界を遮蔽せずに画像を観察するシースルーの効果が得られる。
【００１０】
しかしながら、従来の頭部装着型画像表示装置は、棒状導光部および接眼光学部がガラス材料等からなる硬質光学部材で形成され、棒状導光部の保持部は、硬質プラスチック等の剛性の部材で構成されている。このため、視野内に位置する棒状導光部および接眼光学部を細条化すると、特に、棒状導光部は、視野内に延在する長さが、例えば１０ｍｍ以上と比較的長くなるため、応力により破損し易くなることが懸念される。
【００１１】
さらに、図１０に示したような眼鏡型の頭部装着型画像表示装置１１０の場合は、棒状導光部１１５や、その先端部の接眼光学部１１６が眼鏡レンズ１１４に接触して、眼鏡レンズ１１４や接眼光学部１１６を傷つけることも懸念される。なお、眼鏡型の頭部装着型画像表示装置として、例えば、図１０に示した棒状導光部１１５および接眼光学部１１６を、眼鏡レンズ１１４に埋め込むことも考えられる。しかし、この場合は、眼鏡レンズ１１４の加工が必要となって、コストアップを招くことが懸念される。しかも、埋め込んだ部分は、表示位置や表示角度の調整が困難であり、また、未使用時に画像表示装置部分だけを取り外して使用することができないため、使い勝手が悪くなることが懸念される。
【００１２】
したがって、かかる点に鑑みてなされた本発明の主たる目的は、画像光を導光する棒状導光部の破損を有効に防止でき、棒状導光部を容易に細条化できる頭部装着型画像表示装置を提供することにある。
【課題を解決するための手段】
【００１３】
上記目的を達成する請求項１に係る頭部装着型画像表示装置の発明は、
観察者の頭部に装着された状態で、該観察者の一方の眼球の視野内に延在するように、一端部が保持部に保持され、他端部に接眼光学部が設けられた棒状導光部と、画像を表示する表示素子とを有し、前記表示素子に表示された画像の画像光を、前記棒状導光部の前記一端部の端面から前記他端部の端面を経て前記接眼光学部から出射させて、前記観察者の前記一方の眼球に入射させるようにした頭部装着型画像表示装置において、
前記棒状導光部を、前記保持部に弾性的に変位可能に保持した、ことを特徴とするものである。
【００１４】
請求項２に係る発明は、請求項１に記載の頭部装着型画像表示装置において、
前記棒状導光部は、弾性光学部材からなる、ことを特徴とするものである。
【００１５】
請求項３に係る発明は、請求項１に記載の頭部装着型画像表示装置において、
前記棒状導光部は、前記保持部に保持される前記一端部と、該一端部から連続して前記保持部から露出する一部とを含む部分が、弾性光学部材からなり、残りの部分が硬質光学部材からなる、ことを特徴とするものである。
【００１６】
請求項４に係る発明は、請求項１に記載の頭部装着型画像表示装置において、
前記棒状導光部は、前記保持部内の前記画像光の入射端面を含む一部が硬質光学部材からなり、残りの部分が弾性光学部材からなり、
前記接眼光学部は、前記棒状導光部の前記他端部の端面から出射された画像光を反射させる反射面と、該反射面で反射された画像光を前記観察者の前記一方の眼球に入射させるように出射するレンズ部とを有し、前記反射面および前記レンズ部が硬質光学部材からなり、残りの部分が弾性光学部材からなる、ことを特徴とするものである。
【００１７】
請求項５に係る発明は、請求項１に記載の頭部装着型画像表示装置において、
前記棒状導光部は、硬質光学部材と、前記保持部から露出した部分で、前記硬質光学部材により挟むように介在させた弾性光学部材とからなる、ことを特徴とするものである。
【００１８】
請求項６に係る発明は、請求項１に記載の頭部装着型画像表示装置において、
前記棒状導光部および前記接眼光学部は、それぞれ弾性光学部材からなる、ことを特徴とするものである。
【００１９】
請求項７に係る発明は、請求項２乃至６のいずれか一項に記載の頭部装着型画像表示装置において、
前記観察者の前記一方の眼球から遠い側の前記棒状導光部の外面に、前記保持部に一端部を連結して、長さ方向に延在して細条の硬質部材を設けた、ことを特徴とするものである。
【００２０】
請求項８に係る発明は、請求項１に記載の頭部装着型画像表示装置において、
前記保持部は、少なくとも前記棒状導光部の一端部を保持する部分が弾性部材からなる、ことを特徴とするものである。
【００２１】
請求項９に係る発明は、請求項１乃至８のいずれか一項に記載の頭部装着型画像表示装置において、
前記保持部は、眼鏡レンズを保持する眼鏡フレームに支持し、
前記棒状導光部は、前記眼鏡レンズの外側で、該観察者の一方の眼球の視野内に延在するように、前記保持部に保持した、ことを特徴とするものである。
【００２２】
さらに、上記目的を達成する請求項１０に係る頭部装着型画像表示装置の発明は、
眼鏡レンズを保持する眼鏡フレームと、該眼鏡フレームを観察者が装着した状態で、前記眼鏡レンズの外側で、前記観察者の一方の眼球の視野内に延在するように、一端部が保持部を介して前記眼鏡フレームに支持され、他端部に接眼光学部が設けられた棒状導光部と、画像を表示する表示素子とを有し、前記表示素子に表示された画像の画像光を、前記棒状導光部の前記一端部の端面から前記他端部の端面を経て前記接眼光学部から出射させて、該接眼光学部と対向する前記眼鏡レンズを経て前記観察者の前記一方の眼球に入射させるようにした頭部装着型画像表示装置において、
前記接眼光学部が対向する前記眼鏡レンズに対する前記棒状導光部の変位を吸収する弾性部材を設けた、ことを特徴とするものである。
【００２３】
請求項１１に係る発明は、請求項１０に記載の頭部装着型画像表示装置において、
前記弾性部材を、前記棒状導光部と前記眼鏡レンズとの間に介在させた、ことを特徴とするものである。
【００２４】
請求項１２に係る発明は、請求項１０に記載の頭部装着型画像表示装置において、
前記弾性部材を、前記接眼光学部から前記眼鏡レンズの周縁部に延在するように設けた、ことを特徴とするものである。
【発明の効果】
【００２５】
本発明によれば、画像光を導光する棒状導光部の変位を、弾性光学部材や弾性部材により吸収できるので、棒状導光部の破損を有効に防止でき、棒状導光部を目立たないように容易に細条化することが可能となる。
【発明を実施するための最良の形態】
【００２６】
以下、本発明の実施の形態について、図を参照して説明する。なお、以下に説明する実施の形態において、弾性光学部材は、常温付近で高いゴム弾性を有する透明なゴムや熱可塑性エラストマー等のエラストマー、例えば、シリコーンゴム（屈折率１．４０４）、フッ素ゴム（屈折率１．３８〜１．３９）、アクリルゴム（屈折率１．４６５）、エチレン・プロピレンゴム（屈折率１．４８）、スチレン・ブタジエンゴム（屈折率１．５３５）、等を用いて形成することができる。また、硬質光学部材は、ガラス材料や硬質プラスチック材料等の公知の剛性を有する材料で形成することができる。
【００２７】
（第１実施の形態）
図１は、本発明の第１実施の形態に係る頭部装着型画像表示装置の要部の構成を示す概略断面図である。この頭部装着型画像表示装置１０は、ヘッドセット型の右眼タイプのもので、図９に示した頭部装着型画像表示装置１００と同様に、観察者の耳に保持されるヘッドセット型の頭部支持部（図示せず）から延在する中継部１１と、該中継部１１に保持部１２を介して一端部が保持された棒状導光部１３と、棒状導光部１３の他端部に設けられた接眼光学部１４とを有する。接眼光学部１４は、棒状導光部１３の端面から出射される光を観察者の眼球側に反射させる反射面１５ａを有するプリズム部１５と、該プリズム部１５から出射される光を虚像として観察可能とするためのレンズ部１６とを有する。また、保持部１２には、棒状導光部１３の端面に対向して、液晶表示素子や有機ＥＬ表示素子等からなる表示素子１７を配置する。
【００２８】
本実施の形態では、棒状導光部１３の全体を弾性光学部材１８により形成するとともに、接眼光学部１４の全体を、同様に弾性光学部材１９により形成する。なお、棒状導光部１３を構成する弾性光学部材１８と、接眼光学部１４を構成する弾性光学部材１９とは、一体に形成してもよいし、別体に形成して接着してもよい。また、接眼光学部１４は、プリズム部１５とレンズ部１６とを、弾性光学部材により一体に形成してもよいし、別体に形成して接着してもよい。
【００２９】
これにより、本実施の形態に係る頭部装着型画像表示装置１０では、表示素子１７に表示された画像の画像光を、弾性光学部材１８からなる棒状導光部１３を経て、同様に弾性光学部材１９からなる接眼光学部１４から出射させて、該頭部装着型画像表示装置１０を装着する観察者において、拡大虚像を観察できるようにする。
【００３０】
本実施の形態に係る頭部装着型画像表示装置１０によれば、棒状導光部１３を弾性光学部材１８で構成したので、棒状導光部１３に応力が作用した際に、該棒状導光部１３を弾性変形させて変位を吸収することができる。したがって、棒状導光部１３の破損を有効に防止することができ、棒状導光部１３をシースルーが可能な４ｍｍ以下に容易に細条化することができる。また、接眼光学部１４も弾性光学部材１９で構成することで、接触等による接眼光学部１４の損傷を防止することができるとともに、棒状導光部１３に対する応力を吸収して、棒状導光部１３の破損をより有効に防止することができる。
【００３１】
（第２実施の形態）
図２は、本発明の第２実施の形態に係る頭部装着型画像表示装置の要部の構成を示す概略断面図である。この頭部装着型画像表示装置２０は、図１に示した頭部装着型画像表示装置１０において、棒状導光部１３を、保持部１２に保持される一端部と、該一端部から連続して保持部１２から露出する一部とを含む部分を弾性光学部材２１により形成し、残りの部分は、硬質光学部材２２により形成して、両者を接着して構成する。また、接眼光学部１４は、硬質光学部材２３で形成して、棒状導光部１３に接着する。なお、接眼光学部１４のプリズム部１５およびレンズ部１６は、硬質光学部材２３により一体に形成してもよいし、別体に形成して接着してもよい。その他の構成は、図１と同様であるので、説明を省略する。
【００３２】
本実施の形態に係る頭部装着型画像表示装置２０によれば、棒状導光部１３に応力が作用した際に、弾性光学部材２１を弾性変形させて変位を吸収することができる。したがって、第１実施の形態の場合と同様に、棒状導光部１３の破損を有効に防止することができ、棒状導光部１３をシースルーが可能な４ｍｍ以下に容易に細条化することができる。
【００３３】
（第３実施の形態）
図３は、本発明の第３実施の形態に係る頭部装着型画像表示装置の要部の構成を示す概略断面図である。この頭部装着型画像表示装置３０は、図１に示した頭部装着型画像表示装置１０において、棒状導光部１３を、保持部１２内の画像光の入射端面を含む一部を硬質光学部材３１で形成し、残りの部分を弾性光学部材３２で形成して、両者を接着して構成する。また、接眼光学部１４は、プリズム部１５の反射面１５ａおよびレンズ部１６を、それぞれ硬質光学部材３３および３４で形成し、残りを弾性光学部材３５で形成する。すなわち、接眼光学部１４は、弾性光学部材３５に、反射面１５ａを構成する硬質光学部材３３と、レンズ部１６を構成する硬質光学部材３４を接着して形成する。なお、反射部１５を構成する弾性光学部材３５は、棒状導光部１３を構成する弾性光学部材３２と一体に形成してもよいし、別体に形成して接着してもよい。その他の構成は、図１と同様であるので、説明を省略する。
【００３４】
本実施の形態に係る頭部装着型画像表示装置３０においても、棒状導光部１３に応力が作用した際は、弾性光学部材３２が弾性変形して変位を吸収するので、上記実施の形態の場合と同様に、棒状導光部１３の破損を有効に防止することができ、棒状導光部１３を容易に細条化することができる。また、本実施の形態では、棒状導光部１３の画像光の入射端部を硬質光学部材３１で形成するとともに、接眼光学部１４の反射面１５ａおよびレンズ部１６を、それぞれ硬質光学部材３３および３４で形成したので、表示装置としての光学特性をより良好に保つことが可能となる。
【００３５】
（第４実施の形態）
図４は、本発明の第４実施の形態に係る頭部装着型画像表示装置の要部の構成を示す概略断面図である。この頭部装着型画像表示装置４０は、図１に示した頭部装着型画像表示装置１０において、棒状導光部１３を、硬質光学部材４１と、保持部１２から露出した部分で、硬質光学部材４１により挟むように介在させた弾性光学部材４２とから構成し、接眼光学部１４は、全体を硬質光学部材４３で形成する。なお、接眼光学部１４は、棒状導光部１３の出射端部を構成する硬質光学部材４１と一体に形成してもよいし、別体に形成して接着してもよい。その他の構成は、図１と同様であるので、説明を省略する。
【００３６】
本実施の形態に係る頭部装着型画像表示装置４０においても、棒状導光部１３に応力が作用した際は、弾性光学部材４２が弾性変形して変位を吸収するので、上記実施の形態の場合と同様に、棒状導光部１３の破損を有効に防止することができ、棒状導光部１３を容易に細条化することができる。また、本実施の形態では、棒状導光部１３の中間部のみを弾性光学部材４２で形成し、棒状導光部１３の他の部分や、接眼光学部１４は、硬質光学部材４１および４３で形成したので、図３の場合よりも表示装置としての光学特性をさらに良好に保つことが可能となる。
【００３７】
（第５実施の形態）
図５は、本発明の第５実施の形態に係る頭部装着型画像表示装置の要部の構成を示す概略断面図である。この頭部装着型画像表示装置５０は、図１に示した頭部装着型画像表示装置１０において、弾性光学部材１８からなる棒状導光部１３の外面で、観察者の眼球から遠い側に、保持部１２に一端部を連結して、長さ方向に延在して硬質プラスチックやワイヤ等からなる細条の硬質部材５１を設けたものである。なお、細条の硬質部材５１の幅は、棒状導光部１３の幅以下（例えば、４ｍｍ以下）とする。その他の構成は、図１と同様であるので、説明を省略する。
【００３８】
このように構成すれば、第１実施の形態で説明した効果に加えて、弾性光学部材１８からなる棒状導光部１３の撓み等を、細条の硬質部材５１により防止できるので、特に、棒状導光部１３が長い場合に、撓みによる光学特性の劣化を防止する上で効果的である。
【００３９】
（第６実施の形態）
図６は、本発明の第６実施の形態に係る頭部装着型画像表示装置の要部の構成を示す概略断面図である。この頭部装着型画像表示装置６０は、図１に示した頭部装着型画像表示装置１０において、棒状導光部１３および接眼光学部１４は、それぞれ硬質光学部材６１および６２で形成し、保持部１２は、少なくとも棒状導光部１３の一端部を保持する部分、本実施の形態では保持部１２の全部を、弾性部材６３で形成する。ここで、弾性部材６３は、光学特性を有する必要はないので、任意の弾性材料で形成することができる。その他の構成は、図１と同様であるので、説明を省略する。
【００４０】
本実施の形態に係る頭部装着型画像表示装置６０によれば、棒状導光部１３に応力が作用した際は、保持部１２の弾性部材６３が弾性変形して棒状導光部１３の変位を吸収するので、上記実施の形態の場合と同様に、棒状導光部１３の破損を有効に防止することができ、棒状導光部１３を容易に細条化することができる。しかも、棒状導光部１３および接眼光学部１４は、それぞれ硬質光学部材６１および６２からなるので、表示装置としての光学特性を良好に保つことができる。
【００４１】
（第７実施の形態）
図７は、本発明の第７実施の形態に係る頭部装着型画像表示装置の要部の構成を示す概略断面図である。この頭部装着型画像表示装置７０は、図１０に示した眼鏡一体型の右眼タイプのもので、眼鏡フレーム７１に支持部７２および保持部７３を介して、観察者の右眼視野内で、右眼の眼鏡レンズ７４の前方に近接して一端部が保持された棒状導光部７５と、棒状導光部７５の他端部に設けられた接眼光学部７６とを有する。接眼光学部７６は、図１乃至図６に示した接眼光学部１４と同様に、棒状導光部７５の端面から出射される光を観察者の眼球側に反射させる反射面７７ａを有するプリズム部７７と、該プリズム部７７から出射される光を虚像として観察するためのレンズ部７８とを有する。また、保持部７３には、棒状導光部７５の端面に対向して、液晶表示素子や有機ＥＬ表示素子等からなる表示素子７９を配置する。
【００４２】
本実施の形態では、棒状導光部７５と、該棒状導光部７５に近接する眼鏡レンズ７４との間に弾性部材８５を介在させて、棒状導光部７５の変位を吸収する。なお、弾性部材８５の幅は、棒状導光部７５の幅以下（例えば、４ｍｍ以下）として、シースルー可能とする。ここで、弾性部材８５は、必ずしも光学特性を有する必要はないので、任意の弾性材料で形成することができるが、好ましくは、透明な弾性材料で形成して、目立たなくしてもよい。
【００４３】
本実施の形態に係る頭部装着型画像表示装置７０によれば、棒状導光部７５に応力が作用した際は、弾性部材８５が弾性変形して変位が吸収されるので、上記実施の形態の場合と同様に、棒状導光部７５の破損を有効に防止でき、棒状導光部７５を容易に細条化することができる。また、弾性部材８５によって棒状導光部７５の変位が吸収されることにより、接眼光学部７６の眼鏡レンズ７４への当接も防止できるので、眼鏡レンズ７４や接眼光学部７６の損傷も有効に防止することができる。
【００４４】
（第８実施の形態）
図８は、本発明の第８実施の形態に係る頭部装着型画像表示装置の要部の構成を示す概略断面図である。この頭部装着型画像表示装置８０は、図７に示した眼鏡一体型の頭部装着型画像表示装置７０において、接眼光学部７６のプリズム部７７から眼鏡レンズ７４の周縁部に延在して弾性部材８６を設けて、該弾性部材８６により棒状導光部７５の変位を吸収するようにしたものである。なお、弾性部材８６の幅は、棒状導光部７５の幅以下（例えば、４ｍｍ以下）として、シースルー可能とする。また、弾性部材８６は、必ずしも光学特性を有する必要はないので、任意の弾性材料で形成することができるが、好ましくは、透明な弾性材料で形成して、目立たなくしてもよい。
【００４５】
本実施の形態によれば、棒状導光部７５に応力が作用した際は、弾性部材８６が弾性変形して変位が吸収されるので、上記実施の形態の場合と同様に、棒状導光部７５の破損を有効に防止でき、棒状導光部７５を容易に細条化することができる。また、弾性部材８６によって棒状導光部７５の変位が吸収されることにより、接眼光学部７６の眼鏡レンズ７４への当接も防止できるので、眼鏡レンズ７４や接眼光学部７６の損傷も有効に防止することができる。
【００４６】
なお、本発明は、上記実施の形態にのみ限定されるものではなく、幾多の変形または変更が可能である。例えば、表示素子は、棒状導光部の保持部に限らず、任意の位置に配置して、棒状導光部に画像光を入射することができる。また、図１、図３、あるいは図５に示した構成において、接眼光学部１４の全体を硬質光学部材で形成することもできる。さらに、図１乃至図６に示した構成を、図７や図８に示した眼鏡一体型の頭部装着型画像表示装置に適用することもできる。また、本発明は、ヘッドセット型や眼鏡一体型に限らず、眼鏡着脱型の頭部装着型画像表示装置にも有効に適用することができる。
【図面の簡単な説明】
【００４７】
【図１】本発明の第１実施の形態に係る頭部装着型画像表示装置の要部の構成を示す概略断面図である。
【図２】本発明の第２実施の形態に係る頭部装着型画像表示装置の要部の構成を示す概略断面図である。
【図３】本発明の第３実施の形態に係る頭部装着型画像表示装置の要部の構成を示す概略断面図である。
【図４】本発明の第４実施の形態に係る頭部装着型画像表示装置の要部の構成を示す概略断面図である。
【図５】本発明の第５実施の形態に係る頭部装着型画像表示装置の要部の構成を示す概略断面図である。
【図６】本発明の第６実施の形態に係る頭部装着型画像表示装置の要部の構成を示す概略断面図である。
【図７】本発明の第７実施の形態に係る頭部装着型画像表示装置の要部の構成を示す概略断面図である。
【図８】本発明の第８実施の形態に係る頭部装着型画像表示装置の要部の構成を示す概略断面図である。
【図９】従来提案されているヘッドセット型の頭部装着型画像表示装置の概略構成を示す図である。
【図１０】従来提案されている眼鏡型の頭部装着型画像表示装置の概略構成を示す斜視図である。
【符号の説明】
【００４８】
１０，２０，３０，４０，５０，６０，７０，８０  頭部装着型画像表示装置
１１  中継部
１２  保持部
１３  棒状導光部
１４  接眼光学部
１５  プリズム部
１５ａ  反射面
１６  レンズ部
１７  表示素子
１８，１９，２１，３２，３５，４２  弾性光学部材
２２，２３，３１，３３，３４，４１，４３，６１，６２  硬質光学部材
５１  硬質部材
６３  弾性部材
７１  眼鏡フレーム
７２  支持部
７３  保持部
７４  眼鏡レンズ
７５  棒状導光部
７６  接眼光学部
７７  プリズム部
７７ａ  反射面
７８  レンズ部
７９  表示素子
８５，８６  弾性部材
【図１】
2010087560.tif 000003
【図２】
2010087560.tif 000004
【図３】
2010087560.tif 000005
【図４】
2010087560.tif 000006
【図５】
2010087560.tif 000007
【図６】
2010087560.tif 000008
【図７】
2010087560.tif 000009
【図８】
2010087560.tif 000010
【図９】
2010087560.tif 000011
【図１０】
2010087560.tif 000012